(57)【特許請求の範囲】
【請求項１】
各仕向先別の商品収集用のコンテナを載置する複数の間口を有する配分棚と、前記商品を投入すべきコンテナと該コンテナに投入すべき商品の数量とを指示する間口毎に設置された投入ランプ及び指示数表示器とを有するアソートシステムにおいて、
前記間口毎のコンテナ載置面下にコンテナの重量を計量する電子秤が設置されているとともに、前記電子秤により計量された重量に基づき各コンテナへの商品投入を認識する商品投入認識手段を有し、
前記投入ランプ及び指示数表示器とこれらに仕分け指示データを送信するコントロールステーションとの情報伝達が無線により行われ、
前記コントロールステーションが、前記投入ランプ及び指示数表示器に対し、重量登録がない商品については、１品ずつ、前記投入ランプのみに、重量登録がある商品については、前記投入ランプ及び指示数表示器に、前記仕分け指示データを送信することを特徴とするアソートシステム。
【請求項２】
前記各コンテナへの商品投入が完了すると、仕分けされた商品内容及び仕向先を印字した出荷ラベルを発行するプリンタをさらに有することを特徴とする請求項１に記載のアソートシステム。
【発明の詳細な説明】
【技術分野】
【０００１】
本発明は、スーパーマーケット、コンビニエンスストア、通販などの流通業界の配送センターなどで扱われる大量の商品を仕向先毎に仕分けるアソートシステムに関するものである。
【背景技術】
【０００２】
従来、スーパーマーケットやコンビニエンスストア、通販などの流通業界の各仕向先に商品を配送する配送センターなどにおいては、各仕向先からの注文に応じて各種の商品を受注個数ずつ分配する仕分け作業が行われているが、近年においては、この仕分け作業をアソートシステムを用いて行うことが多くなっている。
【０００３】
アソートシステムは、仕向先と商品識別情報を有するＪＡＮコードが貼付された商品をＳＫＵ毎のまとめピッキングを行い、ＪＡＮコードの情報に基づき、配分棚に設置された投入ランプの点灯及び指示数表示器の表示を行い、作業者が投入ランプの点灯を確認して、指示数表示器に表示された個数の商品を配分棚に載置された各仕向先別の商品収集用のコンテナに投入することにより商品の仕分けを行う。このような仕分け方式は、種まき方式とも呼ばれている。ここで、ＳＫＵとは、アパレル業界で用いられる業界用語で、ＳＴＯＫＣＫ  ＫＥＥＰＩＮＧ  ＵＮＩＴの略語であり、色、形などにより商品を保管するときの最小管理単位を意味している（例えば、特許文献１参照）。
【先行技術文献】
【特許文献】
【０００４】
【特許文献１】特開平１１−２０８８２６号公報
【発明の概要】
【発明が解決しようとする課題】
【０００５】
ところが、従来のアソートシステムでは、作業者による投入ミスが避けられないため、後工程での検品作業が必要であった。また、配分棚が床面に固設されているとともにコントロールステーションとの間に配線を有しているため、柔軟なレイアウト変更ができず、作業効率の低下を招いていた。さらに、配分棚の増加や違う場所への移設も容易ではなかった。
【０００６】
そこで、本発明が解決しようとする技術的課題、すなわち、本発明の目的は、検品精度の向上及び検品レスを実現すると共に、レイアウトの変更を容易にし作業効率を向上し、配分棚の増加や違う場所への移設も容易なアソートシステムを提供することである。
【課題を解決するための手段】
【０００７】
本発明者らは、前記課題を解決するため鋭意研究を重ねた結果、配分棚の間口毎に電子秤を設置することにより、『入れ間違い』なくすことができ検品レスを実現できることを見出し、かかる新規な知見に基づき本発明を完成するに到った。
【０００８】
すなわち、本請求項１に係る発明は、各仕向先別の商品収集用のコンテナを載置する複数の間口を有する配分棚と、前記商品を投入すべきコンテナと該コンテナに投入すべき商品の数量とを指示する間口毎に設置された投入ランプ及び指示数表示器とを有するアソートシステムにおいて、前記間口毎のコンテナ載置面下にコンテナの重量を計量する電子秤が設置されているとともに、前記電子秤により計量された重量に基づき各コンテナへの商品投入を認識する商品投入認識手段を有し、前記投入ランプ及び指示数表示器とこれらに仕分け指示データを送信するコントロールステーションとの情報伝達が無線により行われ、前記コントロールステーションが、前記投入ランプ及び指示数表示器に対し、重量登録がない商品については、１品ずつ、前記投入ランプのみに、重量登録がある商品については、前記投入ランプ及び指示数表示器に、前記仕分け指示データを送信することによって、前記課題を解決したものである。
【００１０】
そして、本請求項２に係る発明は、請求項１に係るアソートシステムにおいて、前記各コンテナへの商品投入が完了すると、仕分けされた商品内容及び仕向先を印字した出荷ラベルを発行するプリンタをさらに有することによって、前記課題をさらに解決したものである。
【発明の効果】
【００１１】
本請求項１に係る発明によれば、各仕向先別の商品収集用のコンテナを載置する複数の間口を有する配分棚と、商品を投入すべきコンテナとコンテナに投入すべき商品の数量とを指示する間口毎に設置された投入ランプ及び指示数表示器とを有するアソートシステムにおいて、間口毎のコンテナ載置面下にコンテナの重量を計量する電子秤が設置されているとともに、電子秤により計量された重量に基づき各コンテナへの商品投入を認識する商品投入認識手段を有していることによって、投入した商品の数を電子秤による重量の計量によって照合できるので、検品精度が向上し検品レスが実現できる。
【００１２】
また、投入ランプ及び指示数表示器とこれらに仕分け指示データを送信するコントロールステーションとの情報伝達が無線により行われることによって、配分棚とコントロールステーションとの間の配線が無くなるので、配分棚のレイアウト変更が容易になるとともに、配分棚の台数の増減、違う場所への移設も容易になる。
【００１３】
そして、本請求項２に係る発明によれば、請求項１に係るアソートシステムにおいて、各コンテナへの商品投入が完了すると、仕分けされた商品内容及び仕向先を印字した出荷ラベルを発行するプリンタをさらに有することによって、出荷作業の省力化ができるので、検品レスの効果と相俟って仕分け効率の格段の向上が実現できる。
【図面の簡単な説明】
【００１４】
【図１】本実施例のアソートシステムの外観を示す斜視図。
【図２】本実施例のアソートシステムの間口部分の斜視図。
【図３】本実施例のアソートシステムのシステム構成図。
【発明を実施するための形態】
【００１５】
本発明のアソートシステムは、各仕向先別の商品収集用のコンテナを載置する複数の間口を有する配分棚と、商品を投入すべきコンテナとコンテナに投入すべき商品の数量とを指示する間口毎に設置された投入ランプ及び指示数表示器とを有し、間口毎のコンテナ載置面下にコンテナの重量を計量する電子秤が設置されているとともに、電子秤により計量された重量に基づき各コンテナへの商品投入を認識する商品投入認識手段を有し、投入ランプ及び指示数表示器とこれらに仕分け指示データを送信するコントロールステーションとの情報伝達が無線により行われ、コントロールステーションが、投入ランプ及び指示数表示器に対し、重量登録がない商品については、１品ずつ、投入ランプのみに、重量登録がある商品については、投入ランプ及び指示数表示器に、仕分け指示データを送信するものであって、検品精度の向上及び検品レスを実現すると共に、レイアウトの変更を容易にし作業効率を向上し、配分棚の増加や違う場所への移設も容易なアソートシステムを提供するものであれば、その具体的な実施の態様は、如何なるものであっても何ら構わない。
【実施例】
【００１６】
本発明の一実施例を図１乃至図３に基づいて説明する。
【００１７】
ここで、図１は、本実施例のアソートシステムの外観を示す斜視図であり、図２は、本実施例のアソートシステムの間口部分の斜視図であり、図３は、本実施例のアソートシステムのシステム構成図である。
【００１８】
本実施例のアソートシステム１００は、図１に示すように、各仕向先（店舗）別の商品収集用のコンテナ１１０と、それらのコンテナ１１０を載置する複数の間口を有する配分棚１２０と、商品を投入すべきコンテナとそのコンテナに投入すべき商品の数量とを指示する間口毎に設置された投入ランプ１３０及び指示数表示器１４０とを有している。
【００１９】
そして、間口毎のコンテナ載置面下には、図２に示すように、コンテナの重量を計量する電子秤１５０が設置されている。
【００２０】
また、図３に示すように、投入ランプ及び指示数表示器とこれらに仕分け指示データを送信するコントロールステーション１７０との情報伝達は、無線機１６０を介して無線により行われる。そして、前記情報伝達は、別々の配分棚１２０に対し、別々の無線機１６０を介して無線により行われる。
【００２１】
さらに、各コンテナへの商品投入が完了すると、仕分けされた商品内容及び仕向先を印字した出荷ラベルを発行するプリンタ１８０がアソートシステム１００及びコントロールステーション１７０を結んでいるネットワーク上に配備されている。
【００２２】
次に、本実施例のアソートシステム１００を用いて商品の仕分けを行う手順について説明する。
【００２３】
まず、商品の重量登録のない場合について説明する。最初にアソートシステム１００の各間口に各仕向先（店舗）別の商品収集用のコンテナ１１０をセットする。そして、コントロールステーション１７０から仕分けバッチナンバーを入力し、その仕分けバッチナンバーに対応した総量をピッキングカート１９０を用いてピッキングする。そして、ピッキングされた商品を１品ずつスキャンして商品に貼付されているＪＡＮコードを読み取る。すると、ＪＡＮコードに対応して仕向先（店舗）が特定されて、該当間口の投入ランプ１３０が点滅する。そして、スキャンした商品を投入ランプ１３０が点滅している間口に載置されているコンテナ１１０に投入する。商品をコンテナ１１０に投入するとコンテナの載置面下に設置されている電子秤１５０の出力が変わり商品が投入されたことが認識される。これは、任意の方法による商品投入認識手段によって行われる。そして、投入ランプ１３０を消灯する。この一連の作業を全ての商品に対して行う。全ての商品の仕分けが完了したら出荷ラベルを発行して梱包作業に移行する。
このように、コントロールステーション１７０は、各間口の投入ランプ１３０及び指示数表示器１４０に対し、重量登録がない商品については、１品ずつ、投入ランプ１３０のみに仕分け指示データを送信する。
【００２４】
次に、商品の重量登録がある場合について説明する。最初にアソートシステム１００の各間口に各仕向先（店舗）別の商品収集用のコンテナ１１０をセットする。そして、コントロールステーション１７０から仕分けバッチナンバーを入力し、その仕分けバッチナンバーに対応した総量をピッキングカート１９０を用いてピッキングする。そして、ＪＡＮコードを入力する。すると、入力されたＪＡＮコードに対応する間口の投入ランプ１３０が点滅するとともに、指示数表示器１４０に投入すべき商品の数量が表示される。作業者は、投入ランプ１３０が点滅している間口に対して、指示数表示器１４０に表示された数の商品を投入する。そして、電子秤１５０で計量された重量と登録されている商品の重量から投入された商品の数を算出し、所定の投入量の投入が確認されたら投入ランプ１３０を点滅から点灯に変える。そして、この一連の作業を全ての間口に対して繰り返し、全ての間口に対して所定の商品の投入が終了したら出荷ラベルを発行して梱包作業に移行する。
このように、コントロールステーション１７０は、各間口の投入ランプ１３０及び指示数表示器１４０に対し、重量登録がある商品については、投入ランプ１３０及び指示数表示器１４０に仕分け指示データを送信する。
【００２５】
以上のように、本発明のアソートシステムによれば、配分棚の各間口に投入ランプ及び指示数表示器を設置すると共に、間違いなく該当間口へ商品を投入したこと、及び、投入した商品の収量を検知するために各間口のコンテナ載置面下に電子秤を設置することにより、従来の配分棚の欠点である入れ間違いをなくすことができ、検品精度の向上及び検品レスが実現できる。
【００２６】
また、アソートシステムをユニット単位で無線管理することにより、リアルタイムでの種まき作業が実現でき、作業効率が向上する。
【００２７】
さらに、アソートシステムをユニット単位で無線管理することにより、配線がなくなるため、配分棚の台数の増減を容易に行え、違う場所への移設も容易となる。すなわち、設備の固定化の廃止を実現できる。
【符号の説明】
【００２８】
１００  ・・・  アソートシステム
１１０  ・・・  コンテナ
１２０  ・・・  配分棚
１３０  ・・・  投入ランプ
１４０  ・・・  指示数表示器
１５０  ・・・  電子秤
１６０  ・・・  無線機
１７０  ・・・  コントロールステーション
１８０  ・・・  プリンタ
１９０  ・・・  ピッキングカート
【図１】
0005455534.tif 000002
【図２】
0005455534.tif 000003
【図３】
0005455534.tif 000004